(57)【要約】  複合異形溝付きのガスフィルム冷却構造を有するタービンブレード（１００）であって、前記タービンブレード（１００）は中空構造となし、その外壁（１０１）は、複数の凹状の第１溝体（１０５）を有し、各第１溝体底部（５００）にはタービンブレードの内壁（１０２）まで貫通する複数の離散孔Ａ（４００）が設置される。第１溝体（１０５）は、複合異形溝であり、深さ方向に沿って少なくとも２つの部分からなり、第１溝体底部（５００）から深さがＨ１の部分は第１部分（３０２）であり、残りの部分は第２部分（３０１）であり、第２部分（３０１）の少なくとも１つの側壁は、第１部分（３０２）の同側壁から横方向に拡張して形成されている。ガスは、離散孔Ａ（４００）から噴出された後に、第１溝体の第１部分（３０２）で十分に発達して、連続的で、均一な正圧ガスを形成した後に、第２部分（３０１）を経て開口端に伝送されタービンブレードの外壁（１０１）側に偏って流出し、タービンブレードの外壁（１０１）で連続的で、均一に貼り付けられたガスフィルムを形成する。該タービンブレードの製造方法がさらに開示される。
2021535312.tif 000002
【特許請求の範囲】
【請求項１】
複合異形溝付きのガスフィルム冷却構造を有するタービンブレードであって、
前記タービンブレードは、中空構造となし、前記タービンブレードの外壁は、複数の凹状の第１溝体を有し、前記第１溝体は、溝体底部と第１溝体の長手方向に沿った２つの側壁とを含み、各第１溝体底部には、概ね該溝体の長手方向に沿って配列される、前記タービンブレードの内壁まで貫通する複数の離散孔Ａが設置され、
前記第１溝体の深さはＨであり、前記第１溝体は、深さ方向に沿って少なくとも２つの部分からなり、第１溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されていることを特徴とする、複合異形溝付きのガスフィルム冷却構造を有するタービンブレード。
【請求項２】
まず、前記タービンブレードを少なくとも２つの部分に分け、次に、各部分の外壁に前記第１溝体を製造し、各部分の内壁に前記離散孔Ａを製造し、最後に、各部分を組み合わせて、複合異形溝付きのガスフィルム冷却構造を有する前記タービンブレードを形成し、
あるいは、前記タービンブレードの外壁に第１溝体の第１部分、第２部分及び離散孔Ａを順に加工して形成して、複合異形溝付きのガスフィルム冷却構造を有する前記タービンブレードを得ることを特徴とする、請求項１に記載の複合異形溝付きのガスフィルム冷却構造を有するタービンブレードの製造方法。
【請求項３】
複合異形溝付きのガスフィルム冷却構造を有するタービンブレードであって、
前記タービンブレードは、中空構造となし、前記タービンブレードの外壁は、複数の凹状の第１溝体を有し、前記タービンブレードの内壁は、複数の凹状の第２溝体を有し、前記第１溝体は、溝体底部と溝体の長手方向に沿った２つの側壁とを含み、前記第２溝体は、溝体底部と溝体の長手方向に沿った２つの側壁とを含み、各第１溝体底部には、概ね該第１溝体の長手方向に沿って配列される、第２溝体底部まで貫通する複数の離散孔Ａが設置され、
前記第１溝体の深さはＨであり、前記第１溝体は、深さ方向に沿って少なくとも２つの部分からなり、第１溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されていることを特徴とする、複合異形溝付きのガスフィルム冷却構造を有するタービンブレード。
【請求項４】
まず、前記タービンブレードを少なくとも２つの部分に分け、次に、各部分の外壁に前記第１溝体を製造し、各部分の内壁に前記第２溝体及び離散孔Ａを製造し、最後に、各部分を組み合わせて、複合異形溝付きのガスフィルム冷却構造を有する前記タービンブレードを形成することを特徴とする、請求項３に記載の複合異形溝付きのガスフィルム冷却構造を有するタービンブレードの製造方法。
【請求項５】
複合異形溝付きのガスフィルム冷却構造を有するタービンブレードであって、
前記タービンブレードは、中空構造となし、前記タービンブレードの内壁と外壁との間には中空キャビテが設置され、前記タービンブレードの内壁には、前記中空キャビテまで貫通する複数の離散孔Ｂが設置され、
前記タービンブレードの外壁は、複数の凹状の第１溝体を有し、前記第１溝体は、溝体底部と溝体の長手方向に沿った２つの側壁とを含み、各第１溝体底部には、概ね該溝体の長手方向に沿って配列される、前記中空キャビテまで貫通する複数の離散孔Ａが設置され、
前記第１溝体の深さはＨであり、前記溝体は、深さ方向に沿って少なくとも２つの部分からなり、溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されていることを特徴とする、複合異形溝付きのガスフィルム冷却構造を有するタービンブレード。
【請求項６】
まず、前記タービンブレードを少なくとも２つの部分に分け、次に、各部分の外壁に前記第１溝体及び離散孔Ａを製造し、各部分の内壁に前記離散孔Ｂを製造し、最後に、各部分を組み合わせて、複合異形溝付きのガスフィルム冷却構造を有する前記タービンブレードを形成することを特徴とする、請求項５に記載の複合異形溝付きのガスフィルム冷却構造を有するタービンブレードの製造方法。
【請求項７】
前記第１溝体の深さ方向に沿った開口端部の軸線とタービンブレードの外壁の法線とのなす角をαとすると、１０°≦α≦９０°であり、好ましくは、３０°≦α≦８０°であり、さらに好ましくは、４５°≦α≦７０°であることを特徴とする、請求項１、３又は５に記載の複合異形溝付きのガスフィルム冷却構造を有するタービンブレード。
【請求項８】
前記第１溝体の溝体の幅方向に沿った垂直断面において、第１部分の２つの側壁は、間隔を隔てる２本の直線分であることを特徴とする、請求項１、３又は５に記載の複合異形溝付きのガスフィルム冷却構造を有するタービンブレード。
【請求項９】
第１部分の各直線分と溝体底部とのなす角は、１０°〜１７０°であり、好ましくは、３０°〜１５０°であり、さらに好ましくは、６０°〜１２０°であることを特徴とする、請求項８に記載の複合異形溝付きのガスフィルム冷却構造を有するタービンブレード。
【請求項１０】
第２部分の少なくとも１つの側壁は、弧線分であることを特徴とする、請求項８に記載の複合異形溝付きのガスフィルム冷却構造を有するタービンブレード。
【請求項１１】
第１部分の少なくとも１つの側壁と第２部分の同側壁との接続箇所は、面取り遷移接続である、又は円弧遷移接続であることを特徴とする、請求項１、３又は５に記載の複合異形溝付きのガスフィルム冷却構造を有するタービンブレード。
【請求項１２】
前記離散孔Ａの最大直径をｄとし、前記第１溝体の深さをＨとし、前記第１溝体の最小幅をＤとすると、Ｄ≧ｄであり、かつＨ≧２ｄであり、好ましくは、Ｈ≧３ｄであり、さらに好ましくは、Ｈ≧４ｄであることを特徴とする、請求項１、３又は５に記載の複合異形溝付きのガスフィルム冷却構造を有するタービンブレード。
【請求項１３】
前記離散孔Ａは、直円孔、又は拡散孔、又は複雑複合異形孔であり、
好ましくは、前記離散孔Ａの中心軸線と基体表面Ａとのなす角をθとすると、０°≦θ≦６０°、好ましくは、１０≦θ≦４５であり、
好ましくは、前記離散孔Ａの開口端に面取り遷移構造又は円弧遷移構造が設置されることを特徴とする、請求項１、３又は５に記載の複合異形溝付きのガスフィルム冷却構造を有するタービンブレード。
【請求項１４】
各第１溝体に形成された連続ガスフィルムは、基体表面を全て被覆することを特徴とする、請求項１、３又は５に記載の複合異形溝付きのガスフィルム冷却構造を有するタービンブレード。
【請求項１５】
Ｈ１＞Ｈ２であり、
好ましくは、Ｈ１：Ｈ２≧２：１であり、さらに好ましくは、Ｈ１：Ｈ２≧３：１であり、最も好ましくは、Ｈ１：Ｈ２≧４：１であることを特徴とする、請求項１、３又は５に記載の複合異形溝付きのガスフィルム冷却構造を有するタービンブレード。
【発明の詳細な説明】
【技術分野】
【０００１】
本発明は、航空用エンジン、ガスタービンなどの技術分野に用いられるタービンブレードに関し、具体的に、複合異形溝付きのガスフィルム冷却構造を有するタービンブレード及びその製造方法に関する。
【背景技術】
【０００２】
航空用エンジン、ガスタービンの作業効率を向上させるキーポイントの１つは高い作業温度を利用することである。ブレードは、航空用エンジン、ガスタービンなどの動力装置のコア部品であり、そのうちタービンブレードは、熱エネルギーを変換する重要な部品として、高温高圧交番荷重下で作業する必要があり、自身の融点より高い作業温度に耐えることができるだけでなく、遠心力などの機械負荷をバランスするのに十分な強度も備える必要がある。したがって、現代航空用エンジン、ガスタービンのタービンブレードには、耐高温基材を使用する必要があり、耐高温遮熱コーティングを利用し、さらにガスフィルム冷却技術を利用して温度勾配を生じさせる必要がある。タービンブレードの材料は一般的に、高温合金や、単結晶金属、セラミックス基複合材料などである。将来のエンジンタービンのフロント作業温度は、高くなっていき、ブレード材料の許容温度との温度差は高度なガスフィルム冷却技術によって担われる必要がある。
【０００３】
タービンブレードは、中空構造を一般的に使用し、ガスフィルム冷却構造を使用してブレードの主動温度制御を行い、冷却ガスを噴出し、高温ガスと隔離する。ガスフィルム冷却孔の主な目的は、ブレード表面に貼り付けられたガスフィルムを確立することであり、均一に被覆し、密着に貼り付けることが望ましい。従来に使用されていたガスフィルム冷却構造は、早期には直円孔であり、中実ブレードに対して顕著な作業温度の上昇を遂げている。しかしながら、直円孔の単孔降温保護面積が比較的小さく、ブロー比が大きくなると、ガスフィルムの剥離が深刻になるため、高度なタービンブレードは、従来から各種の三次元異形孔を広く使用することにより、単純な孔に比べて単孔降温保護面積及び各種のブロー比でのガスフィルム貼り付け度を大幅に増加させている。ガスフィルム冷却孔は、離散的に分布しており、孔の分布及び形状は、ブレード表面のガスフィルムの均一性を決定しており、ガスフィルム被覆の均一性は、タービンの最大降温勾配を制約する重要な因子となっている。
【０００４】
タービンブレードは、強度を保障する前提でガスフィルム孔の設計を最適化する必要がある。気動力学の要求により、タービンブレードの形状は歪んでおり、ガスフィルム冷却孔を利用することではブレード表面の一部の領域の強力ガス膜被覆しか形成することができず、一部の領域のガスフィルムの隔離効果は低く、ひいてはガスフィルム被覆の空白領域が存在することもある。複数列の密集しているガスフィルム孔を使用して冷却効果を高めることができるが、穿孔が多すぎると加工コストが高くなりすぎ、且つ信頼性が低下してしまい、より深刻なのは、多すぎるガスフィルム孔がブレードの構造強度を低下させてしまうことである。そのため、信頼温度保護勾配が一般的に３００度未満である離散ガスフィルム孔のブレードを使用している（Ｙａｈｙａ、ＳＭ（２０１１）．  Ｔｕｒｂｉｎｅｓ  Ｃｏｍｐｒｅｓｓｏｒｓ  ａｎｄ  Ｆａｎｓ．  Ｎｅｗ  ｄｅｌｈｉ：Ｔａｔａ  ＭｃＧｒａｗ−Ｈｉｌｌ  Ｅｄｕｃａｔｉｏｎ、２０１０．ｐｐ．４３０−４３３．）。
【０００５】
どのようにガスフィルム冷却構造を革新し、より高い作業温度のタービンブレードを得るかということは動力システムの長期研究のホットスポットである。離散ガスフィルム孔冷却効果の均一性が低いという課題を改善するために、特許文献ＵＳ２０１１００９７１８８Ａ１などには、ガスフィルム冷却孔が浅いブラインド溝に嵌め込まれ、ブラインド溝が表面と垂直になって、ガスフィルム孔の噴出気流の表面効果が調整され、一定の寸法のブラインド溝構造が有益な結果をもたらす。上記研究は、いずれも冷却孔を主体として初期ガスフィルムを形成し、表面の浅溝又は一定の深さの溝の役割は気流を補助的に調整することであり、溝の長手方向は冷却孔の中心線方向と一致する。このような技術の適切な適用は、ガスフィルムの均一性の改善につながるが、ブレード表面に連続してガスフィルムが形成するという難題を徹底的に解決することができない。また、上記ソルーションでは、冷却ガスがまず溝の長手方向に沿って噴射され、次にタービンの回転効果に依存して溝に垂直なガスフィルムを形成するので、ブレードのガスフィルムの被覆均一性を改善するには限界がある。
【発明の概要】
【発明が解決しようとする課題】
【０００６】
上記技術現状に対して、本発明は、中空構造となし、ガスフィルム冷却構造を有し、その内壁から冷却ガスがガスフィルム冷却構造によりその外壁に連続的で、均一な冷却ガスフィルムを形成でき、効率的な冷却を実現でき、タービンブレードの耐高温能力を向上させることに重要な意義を有するタービンブレードを提供することを目的とする。
【課題を解決するための手段】
【０００７】
上記技術目的を達成するために、本発明者らは、長期にわたる研究探索を経て、タービンブレードの壁に、離散孔及び溝体を含むガスフィルム冷却構造を設置するとともに、溝体を２つの部分で形成された複雑複合異形溝として設計し、すなわち、溝体の深さ方向に沿って、第１部分は離散孔から入った冷却ガスを十分に広げて、連続的で、均一な正圧ガスを形成する中間拡張溝であり、第２部分は、該正圧ガスをタービンブレードの外壁側に偏らせて流出させ、タービンブレードの外壁に連続的で、均一に貼り付けられた冷却ガスフィルムを形成する横方向拡張溝である。
【０００８】
すなわち、本発明の技術手段によれば、複合異形溝付きのガスフィルム冷却構造を有するタービンブレードは、中空構造となし、前記タービンブレードの外壁は、溝体底部及び第１溝体の長手方向に沿った２つの側壁を含む複数の凹状の第１溝体を有し、各第１溝体底部に、概ね該溝体の長手方向に沿って配列される、前記タービンブレードの内壁まで貫通する複数の離散孔Ａが設置され、
前記第１溝体の深さはＨであり、前記第１溝体は、深さ方向に沿って少なくとも２つの部分からなり、第１溝体底部から深さがＨ１の部分が第１部分であり、残りの部分が第２部分であり、すなわち、第２部分の深さがＨ２＝Ｈ−Ｈ１であり、第２部分の少なくとも１つの側壁が、第１部分の同側壁から横方向に拡張して形成されている。
【０００９】
上記構造のタービンブレードでは、冷却ガスが離散孔Ａから第１溝体に入り、第１部分に十分に拡散され、混合され、均一な正圧ガスを形成してから第２部分を経て開口端部に伝送し前記タービンブレードの外壁に偏って流出し、タービンブレードの外壁に均一で、連続的な冷却ガスフィルムを形成する。
【００１０】
上記構造のタービンブレードの製造方法は、例えば、３Ｄ印刷技術を利用して製造することや、一体加工技術を利用して製造するなど、限定されない。本発明は、複合異形溝付きのガスフィルム冷却構造を有する上記タービンブレードを製造する方法をさらに提供する。その方法において、まず、前記タービンブレードを少なくとも２つの部分に分け、次に、各部分の外壁に前記第１溝体を製造し、各部分の内壁に前記離散孔Ａを製造し、最後に、各部分を組み合わせて、複合異形溝付きのガスフィルム冷却構造を有する前記タービンブレードを形成する。あるいは、前記タービンブレードの外壁に第１溝体の第２部分、第１部分及び離散孔Ａを順に加工して形成して、複合異形溝付きのガスフィルム冷却構造を有する前記タービンブレードを得る。
【００１１】
前記加工プロセスは限定されず、機械加工、レーザ加工、電気化学加工などを含む。
【００１２】
冷却ガスの連続性、均一性、貼り付け性をさらに向上させるために、本発明は、最適化されたタービンブレード構造をさらに提供する。
【００１３】
すなわち、複合異形溝付きのガスフィルム冷却構造を有するタービンブレードは、中空構造となし、前記タービンブレードの外壁は、溝体底部及び溝体の長手方向に沿った２つの側壁を含む複数の凹状の第１溝体を有し、前記タービンブレードの内壁は、溝体底部及び溝体の長手方向に沿った２つの側壁を含む複数の凹状の第２溝体を有し、各第１溝体底部に、概ね該第１溝体の長手方向に沿って配列される、第２溝体底部まで貫通する複数の離散孔Ａが設置され、
前記第１溝体の深さはＨであり、前記第１溝体は、深さ方向に沿って少なくとも２つの部分からなり、第１溝体底部から深さがＨ１の部分が第１部分であり、残りの部分が第２部分であり、すなわち、第２部分の深さがＨ２＝Ｈ−Ｈ１であり、第２部分の少なくとも１つの側壁が、第１部分の同側壁から横方向に拡張して形成されている。
【００１４】
該最適化した構造では、前記タービンブレードの内壁に第２溝体が設置され、第２溝体の導入は、冷却気流を離散孔Ａに効率的に伝送し、正圧を形成し、ガス噴射孔の加工深さを低減することに役立つ。
【００１５】
前記第２溝体の高さの選択は、冷却ガスを効率的にスパッタし、正圧を形成することを最適化目標とする。
【００１６】
上記構造のタービンブレードの製造方法は、例えば、３Ｄ印刷技術を利用して製造することや、一体加工技術を利用して製造するなど、限定されない。本発明は、複合異形溝付きのガスフィルム冷却構造を有する上記タービンブレードを製造する方法をさらに提供する。その方法において、まず、前記タービンブレードを少なくとも２つの部分に分け、次に、各部分の外壁に前記第１溝体を製造し、各部分の内壁に前記第２溝体及び離散孔Ａを製造し、最後に、各部分を組み合わせて、複合異形溝付きのガスフィルム冷却構造を有する前記タービンブレードを形成する。
【００１７】
前記加工プロセスは限定されず、機械加工、レーザ加工、電気化学加工などを含む。
【００１８】
冷却ガスの連続性、均一性、貼り付け性をさらに向上させるために、本発明は、他の最適化されたタービンブレード構造をさらに提供する。
【００１９】
複合異形溝付きのガスフィルム冷却構造を有するタービンブレードは、中空構造となし、前記タービンブレードの内壁と外壁との間に中空キャビテが設置され、前記タービンブレードの内壁に、前記中空キャビテまで貫通する複数の離散孔Ｂが設置され、
前記タービンブレードの外壁は、溝体底部及び溝体の長手方向に沿った２つの側壁を含む複数の凹状の第１溝体を有し、各第１溝体底部に、概ね該溝体の長手方向に沿って配列される、前記中空キャビテまで貫通する複数の離散孔Ａが設置され、
前記第１溝体の深さはＨであり、前記溝体は、深さ方向に少なくとも２つの部分からなり、溝体底部から深さがＨ１の部分が第１部分であり、残りの部分が第２部分であり、すなわち、第２部分の深さがＨ２＝Ｈ−Ｈ１であり、第２部分の少なくとも１つの側壁が、第１部分の同側壁から横方向に拡張して形成されている。
【００２０】
該最適化された構造では、前記タービンブレードの内壁と外壁との間に中空キャビテが設置されており、冷却ガスは、まず、離散孔Ｂから中空キャビテに入って対流冷却されて正圧を形成し、次に、離散孔Ａから前記第１溝体に入る。
【００２１】
前記中空キャビテの高さの選択は、冷却ガスを効率的にスパッタし、正圧を形成することを最適化目標とする。
【００２２】
好ましくは、前記離散孔Ｂは、離散孔Ａと位置ずれして分布する。
【００２３】
前記離散孔Ｂは、直円孔であってもよく、拡散孔であってもよく、複雑な三次元異形孔であってもよい。
【００２４】
好ましくは、前記離散孔Ｂの開口端には面取り遷移構造又は円弧遷移構造が設置されて、鋭い構造による応力集中現象、及びガスの流通が順調ではないなどの問題を回避する。
【００２５】
上記構造のタービンブレードの製造方法は、例えば、３Ｄ印刷技術を利用して製造することや、一体加工技術を利用して製造するなど、限定されない。本発明は、複合異形溝付きのガスフィルム冷却構造を有する上記タービンブレードを製造する方法をさらに提供する。その方法において、まず、前記タービンブレードを少なくとも２つの部分に分け、次に、各部分の外壁に前記第１溝体及び離散孔Ａを製造し、各部分の内壁に前記離散孔Ｂを製造し、最後に、各部分を組み合わせて、複合異形溝付きのガスフィルム冷却構造を有する前記タービンブレードを形成する。
【００２６】
前記加工プロセスは限定されず、機械加工、レーザ加工、電気化学加工などを含む。
【００２７】
好ましくは、前記第１溝体の深さ方向に沿った開口端部１０２の軸線と前記タービンブレードの外壁の法線とのなす角をαとすると、１０°≦α≦９０°であり、好ましくは、３０°≦α≦８０°であり、さらに好ましくは、４５°≦α≦７０°である。
【００２８】
好ましくは、前記第１溝体の溝体の幅方向に沿った垂直断面において、第１部分の２つの側壁は、間隔を隔てる２本の直線分である。各直線分と溝体底部とのなす角は、１０°〜１７０°であり、好ましくは、３０°〜１５０°であり、より好ましくは、６０°〜１２０°である。２本の直線分は互いに平行であってもよく、一定のなす角を形成してもよい。第２部分の側壁は、直線分であってもよく、弧線分であってもよく、好ましくは、第２部分の少なくとも１つの側壁は、弧線分である。また、好ましくは、第１部分の少なくとも１つの側壁と第２部分の同側壁との接続箇所は、滑らかな接続を実現するために、面取り遷移接続である、又は円弧遷移接続である。
【００２９】
前記離散孔Ａの最大直径はｄであり、前記第１溝体の最小幅はＤである。好ましくは、Ｄ≧ｄである。好ましくは、Ｈ≧２ｄであり、さらに好ましくは、Ｈ≧３ｄであり、より好ましくは、Ｈ≧４ｄである。
【００３０】
好ましくは、Ｈ１＞Ｈ２であり、さらに好ましくは、Ｈ１：Ｈ２≧２：１であり、より好ましくは、Ｈ１：Ｈ２≧３：１であり、最も好ましくは、Ｈ１：Ｈ２≧４：１である。
【００３１】
前記タービンブレードの内壁と外壁は互いに平行であってもよく、一定のなす角をなしてもよい。
【００３２】
前記離散孔Ａは、直円孔であってもよく、拡散孔であってもよく、複雑な三次元異形孔であってもよい。好ましくは、前記離散孔Ａの中心軸線と前記火炎筒外壁とのなす角は、θである。なす角αとなす角θは、異なってもよい。好ましくは、なす角θは主に孔の加工厚さを減少させ、一般的に好ましくは、０°≦θ≦６０°であり、より好ましくは、１０°≦θ≦４５°である。なす角αは主にガスフィルムのよい貼り付けを保障する。
【００３３】
好ましくは、前記離散孔Ａの開口端には面取り遷移構造又は円弧遷移構造が設置されて、鋭い構造による応力集中現象、及びガスの流通が順調ではないなどの問題を回避する。
【００３４】
各第１溝体、第２溝体の前記タービンブレードの外壁の設置は限定されないが、タービンブレードの外壁の実際の形状に応じて間隔を隔てて平行に配列してもよく、千鳥配列などであってもよく、主として、各第１溝体に形成された連続ガスフィルムがタービンブレードの外壁を全て被覆する。
【発明の効果】
【００３５】
本発明は、従来技術と比較して、タービンブレードの壁に離散孔Ａ及び第１溝体を設置してガスフィルム冷却構造を形成すると共に、第１溝体が２つの部分で形成された複合複合異形溝であり、溝体の深さ方向に沿って第１部分の深さをＨ１として、中間拡張溝を形成し、第２部分の深さをＨ２として、横方向拡張溝を形成したものであり、このような構造は、次のような効果を有する。
【００３６】
（１）冷却ガスが離散孔から第１溝体に入った後に、第１溝体が二段に形成された複合異形溝であり、大きな深さを有し、第１溝体の幅方向に沿った垂直断面が細長い構造となすため、図１に示すように、各離散孔からの拡散ガスは、第１溝体の長手方向に沿って拡張され、混合されるだけでなく、第１溝体の深さ方向に沿って拡散され、混合され、互いに重ね合わせることができ、すなわち、第１溝体の第１部分で十分に発達できることにより、連続的で、均一な正圧ガスを形成した後に、第１溝体の第２部分を経て開口端に伝送され、ガスフィルムの貼り付けの気動要件に応じて開口端の形状を最適設計し、ガスをタービンブレードの外壁一側に偏って流出させ、タービンブレードの外壁に連続的で、均一に貼り付けられた冷却ガスフィルムを形成するとともに、第１溝体の深さが大きく、第１溝体の開口端から流出した冷却ガスが強力な気圧を有するため、タービンブレードの外壁に形成された連続的で、均一な冷却ガスフィルムはタービンブレードの外壁に強く貼り付けられる。すなわち、本発明では、複合異形溝構造の設置は、連続的で、均一で、強く貼り付けられた冷却ガスフィルムに必須条件を提供している。冷却ガスは、離散孔Ａから第１溝体に入り、第１部分に十分に拡散され、混合され、均一な正圧ガスを形成した後に、第２部分を経て開口端部に伝送されてタービンブレードの外壁に偏って流出し、タービンブレードの外壁に均一で連続的なガスフィルムを形成する。
【００３７】
（２）冷却ガスが本発明のタービンブレードの壁を通過する気動シミュレーション図は、図１に示すように、本発明における、冷却ガスが離散孔Ａから第１溝体に噴射され、第１溝体内で拡散され、混合されて、連続的で、均一な正圧ガスを形成して、タービンブレードの外壁に全ガスフィルム被覆を形成できることを実証している。
【００３８】
（３）実験により実証されたように、本発明の燃焼室においてタービンブレードが高温ホットガス環境中にある場合、冷却ガスがタービンブレードの外壁に形成できた全ガスフィルム被覆は、高い冷却効果を有し、等価冷却効率＝（燃焼ガス温度−火炎筒内の火炎筒内壁から一定の距離で測定された温度）／（燃焼ガス温度−冷却ガス温度）であるとき、冷却ガスのブロー比Ｍ＝１．５である場合、本発明のタービンブレードにおいて、タービンブレードの外壁から１０ミリメータ以上の距離での等価冷却効率が０．５以上となり、冷却ガスのブロー比が大きくなると、等価冷却効率が０．７以上に向上することができる。
【００３９】
（４）本発明のタービンブレードは、航空用エンジン及びガスタービン航空機、飛行自動車及び発電システムなどに広く適用される。
【図面の簡単な説明】
【００４０】
【図１】冷却ガスが本発明のタービンブレードを通過する気動シミュレーション図である。
【図２】本発明の実施例１におけるタービンブレードの構造概略図である。
【図３】図２の水平断面の構造概略図である。
【図４】図３中の１つの第１溝体の構造概略図である。
【図５】図３の１つの第１溝体における冷却ガスの伝送概略図である。
【図６】本発明の実施例２におけるタービンブレードの構造概略図である。
【図７】本発明の実施例３におけるタービンブレードの水平断面の構造概略図である。
【図８】図７中の１つの第１溝体の構造概略図である。
【発明を実施するための形態】
【００４１】
以下に、実施例を参照しながら本発明をさらに詳細に説明する。指摘すべきこととして、以下に記載の実施例は本発明を理解しやすくするもので、それに対して何ら限定的な役割を果たすものではない。
【００４２】
図２〜図８に示す符号は、１４−離散孔Ｂ、１５−中空キャビテ、１００−タービンブレード、１０１−タービンブレードの外壁、１０２−タービンブレードの内壁、１０５−第１溝体、１０６−分割線、１０７−第２溝体、３０１−溝体の第２部分、３０２−溝体の第１部分、４００−離散孔Ａ、５００−第１溝体底部、５０１−第２溝体底部、６００、７００−第１溝体の２つの側壁、６０１、７０１−第２溝体の２つの側壁。
【００４３】
（実施例１）
本実施例では、タービンブレード１００は中空構造となし、その構造概略図は図２に示すとおりであり、図３は図２の水平断面の構造概略図である。
【００４４】
タービンブレード１００の外壁１０１には、互いに間隔を隔てて互いに平行な複数の第１溝体１０５が設置されており、第１溝体の長さは、タービンブレード１００の外壁１０１を部分的に又は全体的に貫通するものであってよい。
【００４５】
図４は、図３中の１つの第１溝体１０５の拡大構造概略図である。
【００４６】
図４から明らかなように、各第１溝体は、溝体底部５００及び溝体の２つの側壁６００、７００を含む。各第１溝体底部には、タタービンブレードの内壁１０２まで貫通する複数の離散孔Ａ４００が設置されており、本実施例では、タービンブレードの外壁１０１とタービンブレードの内壁１０２とが概ね平行となっている。これらの離散孔Ａ４００は、図１に示すように、概ね該第１溝体１０５の長手方向に沿って配列されている。
【００４７】
これらの離散孔Ａの最大直径はｄで、第１溝体の深さはＨで、第１溝体の最小幅はＤであり、Ｄ≧ｄ、かつＨ≧２ｄである。
【００４８】
本実施例では、第１溝体は、深さ方向に沿って２つの部分からなり、図４に示すように、第１溝体底部から深さがＨ１の部分が第１部分３０２であり、残りの部分が第２部分３０１であり、すなわち、第２部分の深さがＨ２＝Ｈ−Ｈ１である。
【００４９】
本実施例では、溝体の第１部分３０２は、傾斜した柱体構造となし、図４に示すような垂直断面において、溝体の第１部分３０２の２つの側壁が間隔を隔てる２本の直線分であり、２本の直線分が互いに平行であり、各直線分と溝体底部とのなす角が７０°であり、第２部分の１つの側壁も直線分であり、第１部分の同側壁から延在して形成されるものであり、他の１つの側壁が弧線分となし、第１部分の同側壁から横方向に拡張して形成されるものである。本実施例では、第２部分の深さ方向の開口端部の軸線とタービンブレードの外壁１０１の法線とのなす角αは、３０°である。
【００５０】
本実施例では、Ｈ１はＨ２よりわずかに大きい。
【００５１】
本実施例では、離散孔の中心軸線とタービンブレードの内壁１０２の法線とのなす角θが１５°であり、孔の開口端に円弧遷移構造が設置されて、鋭い構造による応力集中現象を回避している。
【００５２】
図５は、図３の１つの第１溝体における冷却ガスの伝送概略図である。タービンブレードの内壁１０２側の冷却ガスが、離散孔Ａから第１溝体に入った後に、各離散孔Ａからの冷却ガスは、第１溝体の長手方向のみならず、第１溝体の深さ方向に沿って拡散され、混合され、互いに重ね合わせることができ、すなわち、第１溝体の第１部分内に十分に広がることができることにより、連続的で、均一な正圧ガスを形成した後に、第１溝体の第２部分を経て開口端に伝送され、タービンブレードの外壁側に偏って流出し、タービンブレードの外壁１０１に連続的で、均一に貼り付けられたガスフィルムを形成することができるとともに、第１溝体の深さが大きく、第１溝体の開口端から流出したガスが強力な気圧を有するため、タービンブレードの外壁に形成された連続的で、均一なガスフィルムはタービンブレードの外壁に強く貼り付けられる。
【００５３】
本実施例では、上記タービンブレードを製造する方法は、まず、該タービンブレード１００を２つの部分に分け、図２に示すように、分割線１０６で１つの完全タービンブレード１００として接続される別体Ｉ及び別体ＩＩを組み合わせ、次に、別体Ｉの外壁に第１溝体１０５を、内壁に離散孔Ａを、別体ＩＩの外壁に第１溝体１０５を、内壁に離散孔Ａを製造し、最後に、別体Ｉ及び別体ＩＩを組み合わせて分割線１０６で１つの完全タービンブレード１００として接続することである。
【００５４】
（実施例２）
本実施例では、タービンブレード１００は中空構造となし、その構造概略図は図２に示すとおりであり、図３は図２の水平断面の構造概略図である。
【００５５】
タービンブレード１００の外壁１０１には、互いに間隔を隔てて互いに平行な複数の第１溝体１０５が設置されており、溝体の長さは、タービンブレード１００の外壁１０１を部分的に又は全体的に貫通するものであってよい。タービンブレードの内壁１０２に互いに間隔を隔てて互いに平行な複数の第２溝体１０７が設置される。
【００５６】
図６は、図３中の１つの第１溝体１０５及び第２溝体１０７の拡大構造概略図である。
【００５７】
図６から明らかなように、各第１溝体は、第１溝体底部５００及び第１溝体の２つの側壁６００、７００を含む。各第２溝体１０７は、第２溝体底部５０１と、第２溝体の長手方向に沿った２つの側壁６０１、７０１とを含む。各第１溝体底部に第２溝体底部まで貫通する複数の離散孔Ａ４００が設置され、上記離散孔Ａ４００は概ね該第１溝体１０５の長手方向に沿って配列している。
【００５８】
これらの離散孔Ａの最大直径はｄで、第１溝体の深さはＨで、第１溝体の最小幅はＤであり、Ｄ≧ｄ、かつＨ≧２ｄである。
【００５９】
本実施例では、第１溝体１０５は、深さ方向に沿って２つの部分からなり、図６に示すように、第１溝体底部から深さがＨ１の部分が第１部分３０２であり、残りの部分が第２部分３０１であり、すなわち、第２部分の深さがＨ２＝Ｈ−Ｈ１である。
【００６０】
本実施例では、溝体の第１部分３０２は、傾斜した柱体構造となし、図６に示すような垂直断面において、溝体の第１部分３０２の２つの側壁が間隔を隔てる２本の直線分であり、２本の直線分が互いに平行であり、各直線分と溝体底部とのなす角が７０°であり、第２部分の１つの側壁も直線分であり、第１部分の同側壁から延在して形成されるものであり、他の１つの側壁が弧線分となし、第１部分の同側壁から横方向に拡張して形成されるものである。本実施例では、第２部分の深さ方向の開口端部の軸線と基体表面１０１の法線とのなす角αは、３０°である。
【００６１】
本実施例では、Ｈ１はＨ２よりわずかに大きい。
【００６２】
本実施例では、離散孔Ａの中心軸線とタービンブレードの内壁１０２の法線とのなす角θは１５°であり、孔の開口端に円弧遷移構造が設置されて、鋭い構造による応力集中現象を回避している。
【００６３】
本実施例におけるタービンブレード壁での冷却ガスの伝送は以下のとおりである：タービンブレードの内壁１０２側の冷却ガスが、まず第２溝体に伝送され、第２溝体に効率的に伝送され、正圧を形成した後に離散孔Ａから第１溝体に入り、各離散孔Ａからの冷却ガスが、第１溝体の長手方向のみならず、第１溝体の深さ方向に沿って拡散され、混合され、互いに重ね合わせることができ、すなわち、第１溝体の第１部分内に十分に広がることができることにより、連続的で、均一な正圧ガスを形成した後に、第１溝体の第２部分を経て開口端に伝送され、タービンブレードの外壁側に偏って流出し、タービンブレードの外壁に連続的で、均一に貼り付けられたガスフィルムを形成することができるとともに、溝体の深さが大きく、溝体の開口端から流出するガスが強い気圧を有するため、タービンブレードの外壁に形成された連続的で、均一なガスフィルムは、タービンブレードの外壁に強く貼り付けられる。
【００６４】
本実施例では、上記タービンブレードを製造する方法は、まず、該タービンブレード１００を２つの部分に分け、図２に示すように、分割線１０６で１つの完全タービンブレード１００として接続される別体Ｉ及び別体ＩＩを組み合わせ、次に、別体Ｉの外壁に第１溝体１０５を、内壁に第２溝体１０７及び離散孔Ａを、別体ＩＩの外壁に第１溝体１０５を、内壁に第２溝体１０７及び離散孔Ａを製造し、最後に、別体Ｉと別体ＩＩを組み合わせて分割線１０６で１つの完全タービンブレード１００として接続することである。
【００６５】
（実施例３）
本実施例では、タービンブレード１００は中空構造となし、その構造概略図は図２に示すとおりであり、図７は図２の水平断面の構造概略図である。
【００６６】
図７に示すように、タービンブレード１００の内壁１０２と外壁１０１との間には、中空キャビテ１５が設置されている。タービンブレードの内壁１０２に中空キャビテ１５まで貫通する複数の離散孔Ｂ１４が設置されている。
【００６７】
タービンブレード１００の外壁１０１には、互いに間隔を隔てて互いに平行な複数の第１溝体１０５が設置されており、溝体の長さは、タービンブレード１００の外壁１０１を部分的に又は全体的に貫通するものであってよい。
【００６８】
図８は、図７中の１つの第１溝体１０５の拡大構造概略図である。
【００６９】
図８から明らかなように、各第１溝体１０５は、第１溝体底部５００と第１溝体の２つの側壁６００、７００とを含み、各第１溝体底部に中空キャビテ１５まで貫通する複数の離散孔Ａ４００が設置されている。
【００７０】
本実施例では、タービンブレードの外壁１０１は、タービンブレードの内壁１０２と概ね平行である。これらの離散孔Ａ４００は、図１に示すように、概ね該第１溝体の長手方向に沿って配列している。
【００７１】
これらの離散孔Ａの最大直径はｄで、第１溝体の深さはＨで、第１溝体の最小幅はＤであり、Ｄ≧ｄ、かつＨ≧２ｄである。
【００７２】
本実施例では、第１溝体は、深さ方向に沿って２つの部分からなり、図４に示すように、第１溝体底部から深さがＨ１の部分が第１部分３０２であり、残りの部分が第２部分３０１であり、すなわち、第２部分の深さがＨ２＝Ｈ−Ｈ１である。
【００７３】
本実施例では、溝体の第１部分３０２は、傾斜した柱体構造となし、図４に示すような垂直断面において、溝体の第１部分３０２の２つの側壁が間隔を隔てる２本の直線分であり、２本の直線分が互いに平行であり、各直線分と溝体底部とのなす角が７０°であり、第２部分の１つの側壁も直線分であり、第１部分の同側壁から延在して形成されるものであり、他の１つの側壁が弧線分となし、第１部分の同側壁から横方向に拡張して形成されるものである。本実施例では、第２部分の深さ方向の開口端部の軸線と基体表面１０１の法線とのなす角αは、３０°である。
【００７４】
本実施例では、Ｈ１はＨ２よりわずかに大きい。
【００７５】
本実施例では、離散孔Ａの中心軸線とタービンブレードの内壁１０２の法線とのなす角θは１５°であり、孔の開口端に円弧遷移構造が設置されて、鋭い構造による応力集中現象を回避している。
【００７６】
本実施例におけるタービンブレード壁での冷却ガスの伝送は以下のとおりである：タービンブレードの内壁１０２側の冷却ガスが、まず離散孔Ｂから中空キャビテ１５に入り、中空キャビテ１５で効率的に伝送され、正圧を形成した後に離散孔Ａから第１溝体に入り、各離散孔Ａからの冷却ガスが、第１溝体の長手方向のみならず、第１溝体の深さ方向に沿って拡散され、混合され、互いに重ね合わせることができ、すなわち、第１溝体の第１部分内で十分に発達できることにより、連続的で、均一な正圧ガスを形成した後に、第１溝体の第２部分を経て開口端に伝送され、タービンブレードの外壁側に偏って流出し、タービンブレードの外壁に連続的で、均一に貼り付けられたガスフィルムを形成することができるとともに、溝体の深さが大きく、溝体の開口端から流出するガスが強い気圧を有するため、タービンブレードの外壁に形成された連続的で、均一なガスフィルムは、タービンブレードの内壁に強く貼り付けられる。
【００７７】
本実施例では、上記タービンブレードを製造する方法は、まず、該タービンブレード１００を２つの部分に分け、図２に示すように、分割線１０６で１つの完全タービンブレード１００として接続される別体Ｉ及び別体ＩＩを組み合わせ、次に、別体Ｉの外壁に第１溝体１０５及び離散孔Ａを、内壁に離散孔Ｂを、別体ＩＩの外壁に第１溝体１０５及び離散孔Ａを、内壁に離散孔Ｂを製造し、最後に、別体Ｉ及び別体ＩＩを組み合わせて分割線１０６で１つの完全タービンブレード１００として接続することである。
【００７８】
上述した実施例は、本発明の技術手段を詳細に説明したものであり、以上の記載は本発明の具体的な実施例に過ぎず、本発明を限定するものではなく、本発明の要旨の範囲内で行われるいかなる修正、補足、又は類似の形態の代替などは、いずれも本発明の保護範囲に含まれるべきであることは理解されるべきである。
【図１】
2021535312.tif 000003
【図２】
2021535312.tif 000004
【図３】
2021535312.tif 000005
【図４】
2021535312.tif 000006
【図５】
2021535312.tif 000007
【図６】
2021535312.tif 000008
【図７】
2021535312.tif 000009
【図８】
2021535312.tif 000010
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
複合異形溝付きのガスフィルム冷却構造を有するタービンブレードであって、
前記タービンブレードは、中空構造となし、前記タービンブレードの外壁は、複数の凹状の第１溝体を有し、前記第１溝体は、溝体底部と第１溝体の長手方向に沿った２つの側壁とを含み、各第１溝体底部には、概ね該溝体の長手方向に沿って配列される、前記タービンブレードの内壁まで貫通する複数の離散孔Ａが設置され、
前記第１溝体の深さはＨであり、前記第１溝体は、深さ方向に沿って少なくとも２つの部分からなり、第１溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されており、
前記離散孔Ａの最大直径をｄとし、前記第１溝体の深さをＨとし、前記第１溝体の最小幅をＤとすると、Ｄ≧ｄであり、かつＨ≧２ｄ、Ｈ１＞Ｈ２であることを特徴とする、複合異形溝付きのガスフィルム冷却構造を有するタービンブレード。
【請求項２】
まず、前記タービンブレードを少なくとも２つの部分に分け、次に、各部分の外壁に前記第１溝体を製造し、各部分の内壁に前記離散孔Ａを製造し、最後に、各部分を組み合わせて、複合異形溝付きのガスフィルム冷却構造を有する前記タービンブレードを形成し、
あるいは、前記タービンブレードの外壁に第１溝体の第１部分、第２部分及び離散孔Ａを順に加工して形成して、複合異形溝付きのガスフィルム冷却構造を有する前記タービンブレードを得ることを特徴とする、請求項１に記載の複合異形溝付きのガスフィルム冷却構造を有するタービンブレードの製造方法。
【請求項３】
複合異形溝付きのガスフィルム冷却構造を有するタービンブレードであって、
前記タービンブレードは、中空構造となし、前記タービンブレードの外壁は、複数の凹状の第１溝体を有し、前記タービンブレードの内壁は、複数の凹状の第２溝体を有し、前記第１溝体は、溝体底部と溝体の長手方向に沿った２つの側壁とを含み、前記第２溝体は、溝体底部と溝体の長手方向に沿った２つの側壁とを含み、各第１溝体底部には、概ね該第１溝体の長手方向に沿って配列される、第２溝体底部まで貫通する複数の離散孔Ａが設置され、
前記第１溝体の深さはＨであり、前記第１溝体は、深さ方向に沿って少なくとも２つの部分からなり、第１溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されており、
前記離散孔Ａの最大直径をｄとし、前記第１溝体の深さをＨとし、前記第１溝体の最小幅をＤとすると、Ｄ≧ｄであり、かつＨ≧２ｄ、Ｈ１＞Ｈ２であることを特徴とする、複合異形溝付きのガスフィルム冷却構造を有するタービンブレード。
【請求項４】
まず、前記タービンブレードを少なくとも２つの部分に分け、次に、各部分の外壁に前記第１溝体を製造し、各部分の内壁に前記第２溝体及び離散孔Ａを製造し、最後に、各部分を組み合わせて、複合異形溝付きのガスフィルム冷却構造を有する前記タービンブレードを形成することを特徴とする、請求項３に記載の複合異形溝付きのガスフィルム冷却構造を有するタービンブレードの製造方法。
【請求項５】
複合異形溝付きのガスフィルム冷却構造を有するタービンブレードであって、
前記タービンブレードは、中空構造となし、前記タービンブレードの内壁と外壁との間には中空キャビテが設置され、前記タービンブレードの内壁には、前記中空キャビテまで貫通する複数の離散孔Ｂが設置され、
前記タービンブレードの外壁は、複数の凹状の第１溝体を有し、前記第１溝体は、溝体底部と溝体の長手方向に沿った２つの側壁とを含み、各第１溝体底部には、概ね該溝体の長手方向に沿って配列される、前記中空キャビテまで貫通する複数の離散孔Ａが設置され、
前記第１溝体の深さはＨであり、前記溝体は、深さ方向に沿って少なくとも２つの部分からなり、溝体底部から深さがＨ１の部分は第１部分であり、残りの部分は深さがＨ２＝Ｈ−Ｈ１の第２部分であり、第２部分の少なくとも１つの側壁は、第１部分の同側壁から横方向に拡張して形成されていることを特徴とする、複合異形溝付きのガスフィルム冷却構造を有するタービンブレード。
【請求項６】
まず、前記タービンブレードを少なくとも２つの部分に分け、次に、各部分の外壁に前記第１溝体及び離散孔Ａを製造し、各部分の内壁に前記離散孔Ｂを製造し、最後に、各部分を組み合わせて、複合異形溝付きのガスフィルム冷却構造を有する前記タービンブレードを形成することを特徴とする、請求項５に記載の複合異形溝付きのガスフィルム冷却構造を有するタービンブレードの製造方法。
【請求項７】
前記第１溝体の深さ方向に沿った開口端部の軸線とタービンブレードの外壁の法線とのなす角をαとすると、１０°≦α≦９０°であり、または、３０°≦α≦８０°であり、または、４５°≦α≦７０°であることを特徴とする、請求項１、３又は５に記載の複合異形溝付きのガスフィルム冷却構造を有するタービンブレード。
【請求項８】
前記第１溝体の溝体の幅方向に沿った垂直断面において、第１部分の２つの側壁は、間隔を隔てる２本の直線分であることを特徴とする、請求項１、３又は５に記載の複合異形溝付きのガスフィルム冷却構造を有するタービンブレード。
【請求項９】
第１部分の各直線分と溝体底部とのなす角は、１０°〜１７０°であり、または、３０°〜１５０°であり、または、６０°〜１２０°であることを特徴とする、請求項８に記載の複合異形溝付きのガスフィルム冷却構造を有するタービンブレード。
【請求項１０】
第２部分の少なくとも１つの側壁は、弧線分であることを特徴とする、請求項８に記載の複合異形溝付きのガスフィルム冷却構造を有するタービンブレード。
【請求項１１】
第１部分の少なくとも１つの側壁と第２部分の同側壁との接続箇所は、面取り遷移接続である、又は円弧遷移接続であることを特徴とする、請求項１、３又は５に記載の複合異形溝付きのガスフィルム冷却構造を有するタービンブレード。
【請求項１２】
前記離散孔Ａの最大直径をｄとし、前記第１溝体の深さをＨとし、前記第１溝体の最小幅をＤとすると、Ｄ≧ｄであり、かつＨ≧２ｄであることを特徴とする、請求項５に記載の複合異形溝付きのガスフィルム冷却構造を有するタービンブレード。
【請求項１３】
Ｈ≧３ｄであることを特徴とする、請求項１、３又は５に記載の複合異形溝付きのガスフィルム冷却構造を有するタービンブレード。
【請求項１４】
Ｈ≧４ｄであることを特徴とする、請求項１３に記載の複合異形溝付きのガスフィルム冷却構造を有するタービンブレード。
【請求項１５】
前記離散孔Ａは、直円孔、又は拡散孔、又は複雑複合異形孔であり、
または、前記離散孔Ａの中心軸線と基体表面Ａとのなす角をθとすると、０°≦θ≦６０°、または、１０≦θ≦４５であり、
または、前記離散孔Ａの開口端に面取り遷移構造又は円弧遷移構造が設置されることを特徴とする、請求項１、３又は５に記載の複合異形溝付きのガスフィルム冷却構造を有するタービンブレード。
【請求項１６】
各第１溝体に形成された連続ガスフィルムは、基体表面を全て被覆することを特徴とする、請求項１、３又は５に記載の複合異形溝付きのガスフィルム冷却構造を有するタービンブレード。
【請求項１７】
Ｈ１≧２×Ｈ２であることを特徴とする、請求項１、３又は５に記載の複合異形溝付きのガスフィルム冷却構造を有するタービンブレード。
【請求項１８】
Ｈ１≧３×Ｈ２であることを特徴とする、請求項１７に記載の複合異形溝付きのガスフィルム冷却構造を有するタービンブレード。
【請求項１９】
Ｈ１≧４×Ｈ２であることを特徴とする、請求項１８に記載の複合異形溝付きのガスフィルム冷却構造を有するタービンブレード。
【国際調査報告】
2021535312.tif 000011
2021535312.tif 000012
2021535312.tif 000013
2021535312.tif 000014
2021535312.tif 000015
2021535312.tif 000016